(57)【要約】【課題】防水キャップが不要な安価な構造の防水用コネクタを提供する。【解決手段】コネクタ１０は、ハウジング１、第１コンタクト２、及び第２コンタクト３を備える。第１コンタクト２はハウジング１の一側面に沿って並設配置される。第２コンタクト３は、ハウジング１に設けられた複数の凹部１ａに挿入される。第１コンタクト２は、プリント基板１ｐにハンダ接合が可能なリード片２１と、ハウジング１に一体にモールド成形される固定片２２を有する。第２コンタクトは、凹部１ａの開口から頂部が突出する第１接触片３１と、凹部１ａの底面に当接する連結片３２と、凹部１ａに連通する接続開口１ｂを介して固定片２２に接触する第２接触片３３と、を有する。第１接触片３１の頂部は、被接続体の平坦な接続端子に接触可能な接点３１ａを設ける。【選択図】図１
2010033997.tif 000002
【特許請求の範囲】
【請求項１】
略直方体のハウジングと、
このハウジングの一側面に沿って並設配置されたＬ字状の第１コンタクトと、
これらの第１コンタクトの配列に対応して前記ハウジングに設けられた複数の凹部に挿入されるベローズ形の第２コンタクトと、を備え、
前記第１コンタクトは、前記ハウジングの一側面から突出してプリント基板にハンダ接合可能なリード片と、前記ハウジングに一体にモールド成形された固定片と、を有し、
前記第２コンタクトは、前記凹部の開口から頂部が突出して先端部が前記凹部の底面に向かうように屈曲する第１接触片と、この第１接触片の基端部が屈折されて前記凹部の底面に当接する帯板状の連結片と、この連結片の先端部が屈折されて前記凹部に連通する接続開口を介して前記固定片に接触する第２接触片と、を有し、
前記第１接触片の頂部は、被接続体に形成された平坦な接続端子に接触可能な接点を設ける防水用コネクタ。
【請求項２】
前記第２コンタクトは、前記連結片の両翼が略直角に屈折された一対の矩形の側面板を有し、
前記ハウジングは、前記側面板の両翼を案内して当該凹部の底面と同じ深さに至る一対の第１スリットを当該凹部の両翼に隣接している請求項１記載の防水用コネクタ。
【請求項３】
前記第２コンタクトは、前記連結片の先端部が略直角に屈折された矩形の背面板を有し、
前記第２接触片は、前記背面板が凹字状に打ち抜き加工されてその一部が屈折された前記固定片に接触する舌片からなり、
前記ハウジングは、前記背面板の両翼を案内して当該凹部の底面と同じ深さに至る一対の第２スリットを前記固定片に隣接している請求項１又は２記載の防水用コネクタ。
【請求項４】
前記第２コンタクトは、前記一対の側面板の内の一方の側面板の一部が屈折して前記一対の側面板の内の他方の側面板に架橋する架橋片を有し、
この架橋片は、前記第１接触片の先端部に係合して、当該第１接触片の接点が前記凹部の底面から離反する動きを規制している請求項２又は３記載の防水用コネクタ。
【発明の詳細な説明】
【技術分野】
【０００１】
本発明は、防水用コネクタに関する。特に、接触式ＩＣカードなどの表面に形成された平坦な接続端子に接続するコネクタであって、屋外で使用されるために好適な防水用コネクタの構造に関する。
【背景技術】
【０００２】
ＩＣカードは、矩形のプラスチック製カードにＩＣチップが内蔵され、データを記録している。ＩＣカードは、磁気カードに比べて１００倍近いデータを記録でき、データの暗号化や偽造に強いことから、電子マネーや識別カードなどに応用されている。
【０００３】
ＩＣカードは、データを読み書きする方式に違いにより、非接触式と接触式に分類されている。データを微弱な電波で無線交信する非接触式ＩＣカードは、例えば、自動改札システムに利用されている。
【０００４】
接触式ＩＣカードは、表面の金属箔端子に接触するコネクタを介して端末機にデータが取得される。接触式ＩＣカードは、例えば、契約者情報を記録したＳＩＭ（Ｓｕｂｓｃｒｉｂｅｒ  Ｉｄｅｎｔｉｔｙ  Ｍｏｄｕｌｅ）カードとして携帯電話機に使われている。
【０００５】
このような接触式ＩＣカード用のコネクタであって、カード検知スイッチ用端子の取り付け位置が汎用性を有し、カード検知スイッチ用端子と信号用コンタクトとを共通部品とする構造を備え、防水構造を付加したＩＣカード用コネクタが開示されている（例えば、特許文献１参照）。
【特許文献１】特開２００８−４１３７２号公報
【発明の開示】
【発明が解決しようとする課題】
【０００６】
図１２は、特許文献１によるＩＣカード用コネクタの斜視分解組立図である。本願の図１２は、特許文献１の図２に相当している。又、図１３は、特許文献１によるＩＣカード用コネクタの縦断面図である。本願の図１３は、特許文献１の図５に相当している。
【０００７】
図１２を参照すると、ＩＣカード用のコネクタ９０は、ハウジング９１と、ハウジング９１にデュアルインライン形に配置される複数対のコンタクト９２を備え、図示されないＩＣカードの表面に形成された金属箔端子に接続する。
【０００８】
図１２及び図１３において、キャップハウジング９３は、ハウジング１の上面９１ａに装着される。コンタクト９２は、ハウジング９１の上面９１ａに突出してＩＣカードに弾圧される第１接触部９２１と、キャップハウジング９３に弾圧される第２接触部９２２と、ハウジング９１に固定される固定部９２３を有している。キャップハウジング９３は、一対の第２接触部９２２・９２２を短絡する短絡端子９４を有している。
【０００９】
図１２及び図１３において、ハウジング９１は、段差部９１１と収容室９１２を有している。段差部９１１は、上面９１ａの面積が相反する向きに位置する下面９１ｂの面積より狭くなるように、形成されている。収容室９１２は、下面９１ｂに開口している。又、コネクタ９０は、防水リング９５と防水キャップ９６を備えている。防水リング９５は段差部９１１に密着している。防水キャップ９６は、収容室９１２の内壁に密着するように収容されている。
【００１０】
図１２及び図１３において、ハウジング９１は、絶縁性の合成樹脂を成形して略直方体の形状としている。複数のコンタクト９２は、固定部９２３がハウジング９１に一体でモールド成形されて固定されている。又、コンタクト９２は、図示されないプリント基板にハンダ接合可能なリード部９２４を基端側に有している。
【００１１】
図１３において、ハウジング９１は、複数のコンタクト９２が撓む箇所が開口し、収容室９１２に連通している。収容室９１２は、ハウジング９１の上面９１ａに断続的に開口し、ハウジング９１の下面９１ｂに矩形に開口されている。防水キャップ９６は、ハウジング９１の下面９１ｂから挿入されて収容される。
【００１２】
図１２に示されるように、防水キャップ９６は、略直方体であって、ラバーなどの気密性を有する弾性材料で形成されている。波形に形成される複数の襞９６１を防水キャップ９６の外周に設けることにより、収容室９１２の内壁との気密性を向上できる。防水キャップ９６は、ハウジング９１の上面９１ａに形成された断続的開口から、ハウジング９１の下面９１ｂに対向するプリント基板を防水している。
【００１３】
特許文献１によるＩＣカード用のコネクタ９０は、複数のコンタクト９２をハウジング９１に一体でモールド成形しているので、ハウジング９１の上面９１ａが断続的に開口している。図示されたベローズ形のコンタクト９２をハウジング９１に一体でモールド成形するためには、金型内で自由端を治具で保持するために開口が必要になっている。
【００１４】
ここで、ベローズ形のコンタクトをハウジングに配置するに当たり、開口を必要としない防水用コネクタが実現できれば、この開口を密閉する防水キャップが不要となり、防水用コネクタの製造原価を低減することに寄与できる。そして、以上のことが本発明の課題といってよい。
【００１５】
本発明は、このような問題に鑑みてなされたものであり、被接続体に形成された平坦な接続端子に接続するコネクタであって、防水キャップが不要な安価な構造の防水用コネクタを提供することを目的とする。
【課題を解決するための手段】
【００１６】
本発明者は、ベローズ形のコンタクトをＬ字状のコンタクトとベローズ形のコンタクトと分割して、プリント基板にハンダ接合されるリード部を有するＬ字状のコンタクトは、ハウジングと一体にモールド成形し、ベローズ形のコンタクトは、ハウジングに設けられた凹部に圧入してＬ字状のコンタクトと接触する構造とすることにより、上記の課題が解決可能なことを見出し、これに基づいて、以下のような新たな防水用コネクタを発明するに至った。
【００１７】
（１）  略直方体のハウジングと、このハウジングの一側面に沿って並設配置されたＬ字状の第１コンタクトと、これらの第１コンタクトの配列に対応して前記ハウジングに設けられた複数の凹部に挿入されるベローズ形の第２コンタクトと、を備え、前記第１コンタクトは、前記ハウジングの一側面から突出してプリント基板にハンダ接合可能なリード片と、前記ハウジングに一体にモールド成形された固定片と、を有し、前記第２コンタクトは、前記凹部の開口から頂部が突出して先端部が前記凹部の底面に向かうように屈曲する第１接触片と、この第１接触片の基端部が屈折されて前記凹部の底面に当接する帯板状の連結片と、この連結片の先端部が屈折されて前記凹部に連通する接続開口を介して前記固定片に接触する第２接触片と、を有し、前記第１接触片の頂部は、被接続体に形成された平坦な接続端子に接触可能な接点を設ける防水用コネクタ。
【００１８】
（１）の発明による防水用コネクタは、略直方体のハウジング、Ｌ字状の第１コンタクト、及びベローズ形の第２コンタクトを備えている。第１コンタクトは、ハウジングの一側面に沿って並設配置されている。第２コンタクトは、第１コンタクトの配列に対応してハウジングに設けられた複数の凹部に挿入される。
【００１９】
第１コンタクトは、リード片と固定片を有している。リード片は、ハウジングの一側面から突出しており、プリント基板にハンダ接合が可能となっている。固定片は、ハウジングに一体にモールド成形されている。
【００２０】
第２コンタクトは、第１接触片、帯板状の連結片、及び第２接触片を有している。第１接触片は、凹部の開口から頂部が突出しており、先端部が凹部の底面に向かうように屈曲している。連結片は、第１接触片の基端部が屈折されて、凹部の底面に当接する。第２接触片は、連結片の先端部が屈折されて、凹部に連通する接続開口を介して、固定片に接触する。そして、第１接触片の頂部は、被接続体に形成された平坦な接続端子に接触可能な接点を設けている。
【００２１】
ここで、ハウジングは絶縁性を有してよく、絶縁性のハウジングとは、非導電性の材料からなるハウジングのことであってよく、例えば、合成樹脂を成型して、所望の形状の絶縁性のハウジングを得ることができる。ハウジングは、第１コンタクトを一体にモールド成形している。
【００２２】
第１及び第２コンタクトは、導通を有してよく、導通を有するコンタクトとは、導電性の材料からなるコンタクトのことであってよく、例えば、コンタクトは、銅合金板が打ち抜き加工された展開板が折り曲げ成形されて、所望の形状のコンタクトを得ることができる。
【００２３】
第１及び第２コンタクトは、複数のコンタクトが一括して成形される連鎖状コンタクトからなることが生産効率上好ましい。又、第１及び第２コンタクトは、導電性や成形の容易性から銅合金板からなることが好ましいが、銅合金板に限定されない。
【００２４】
第１コンタクトの配列に対応して、複数の凹部がハウジングに設けられているとは、第１コンタクトの配列数と凹部の数量が同数であることを意味している。そして、凹部に第２コンタクトが挿入される。
【００２５】
第１コンタクトのリード片はハウジングの一側面から突出してプリント基板にハンダ接合が可能となっているとは、この防水用コネクタがプリント基板用コネクタであることを意味している。更に、狭義では、この防水用コネクタが表面実装用コネクタであることを意味している。この防水用コネクタは、リフロー炉を用いて自動ハンダも可能である。
【００２６】
一般に、ベローズ形のコンタクトは、薄板を蛇の腹（ベローズ）のように曲げて作られたコンタクトとされ、その自由端が所定のばね弾性力を相手側端子に付勢して、電気的接続を得ることができる。
【００２７】
第１接触片は、第２コンタクトの自由端であってよく、第１接触片の頂部は、被接続体に形成された平坦な接続端子に接触可能な接点を設けている。連結片は、第２コンタクトの固定端であってよく、凹部の底面に当接する。第２接触片は、自由端であってよく、所定のばね弾性力を固定片に付勢して、電気的接続を得ることができる。
【００２８】
被接続体に形成された平坦な接続端子は、例えば、接触式ＩＣカードなどの表面に形成された金属箔端子であってよく、バッテリパックの底面に設けられた平型端子であってもよい。被接続体と防水用コネクタとが相対的に近づくことにより、接点が接続端子に接触できる。
【００２９】
（１）の発明による防水用コネクタは、ベローズ形の第２コンタクトをハウジングに配置するに当たり、従来のようにハウジングと一体でモールド成形していないので、金型内で自由端を治具で保持するための開口が不要である。つまり、防水キャップが不要な安価な構造の防水用コネクタを提供できる。
【００３０】
（１）の発明による防水用コネクタは、従来のベローズ形のコンタクトを分割して、プリント基板にハンダ接合されるリード部を有する第１コンタクトをハウジングと一体にモールド成形し、ベローズ形の第２コンタクトをハウジングに設けられた凹部に挿入して、第１コンタクトと接触する構造とすることにより、防水キャップを抑えるための防水用のリテーナの設置や防水用の封止剤の塗布を不要とする防水用コネクタを提供できる。
【００３１】
（２）  前記第２コンタクトは、前記連結片の両翼が略直角に屈折された一対の矩形の側面板を有し、前記ハウジングは、前記側面板の両翼を案内して当該凹部の底面と同じ深さに至る一対の第１スリットを当該凹部の両翼に隣接している（１）記載の防水用コネクタ。
【００３２】
（２）の発明による防水用コネクタは、側面板の両翼にバーブ（ｂａｒｂ：刺）を設けてよく、一対の側面板を第１スリットに圧入できる。そして、第２コンタクトを凹部に固定できる。
【００３３】
（３）  前記第２コンタクトは、前記連結片の先端部が略直角に屈折された矩形の背面板を有し、前記第２接触片は、前記背面板が凹字状に打ち抜き加工されてその一部が屈折された前記固定片に接触する舌片からなり、前記ハウジングは、前記背面板の両翼を案内して当該凹部の底面と同じ深さに至る一対の第２スリットを前記固定片に隣接している（１）又は（２）記載の防水用コネクタ。
【００３４】
（３）の発明による防水用コネクタは、一対の第２スリットに背面板を挿入することにより、第２接触片が固定片に接触したときの戻り力に抗することができる。
【００３５】
（４）  前記第２コンタクトは、前記一対の側面板の内の一方の側面板の一部が屈折して前記一対の側面板の内の他方の側面板に架橋する架橋片を有し、この架橋片は、前記第１接触片の先端部に係合して、当該第１接触片の接点が前記凹部の底面から離反する動きを規制している（２）又は（３）記載の防水用コネクタ。
【００３６】
（４）の発明による防水用コネクタは、複数の接点の高さが均一に統制される。
【発明の効果】
【００３７】
本発明による防水用コネクタは、ベローズ形の第２コンタクトをハウジングに配置するに当たり、従来のようにハウジングと一体でモールド成形していないので、金型内で自由端を治具で保持するための開口が不要である。つまり、防水キャップが不要な安価な構造の防水用コネクタを提供できる。
【００３８】
本発明による防水用コネクタは、従来のベローズ形のコンタクトを分割して、プリント基板にハンダ接合されるリード部を有する第１コンタクトをハウジングと一体にモールド成形し、ベローズ形の第２コンタクトをハウジングに設けられた凹部に挿入して、第１コンタクトと接触する構造とすることにより、防水キャップを抑えるための防水用のリテーナの設置や防水用の封止剤の塗布を不要とする防水用コネクタを提供できる。
【発明を実施するための最良の形態】
【００３９】
以下、図面を参照して本発明を実施するための最良の形態を説明する。
【００４０】
図１は、本発明による防水用コネクタの一実施形態を示す斜視図である。図２は、前記実施形態による防水用コネクタの斜視図であり、一部を縦断面で示している。図３は、前記実施形態による防水用コネクタに備わるハウジングの斜視図である。図４は、前記実施形態による防水用コネクタに備わる第１コンタクトの斜視図である。
【００４１】
図５は、前記実施形態による防水用コネクタの斜視図であり、第１コンタクトがハウジングと一体にモールド成形された状態図である。図６は、前記実施形態による防水用コネクタの斜視図であり、防水用コネクタを底面から観た状態図である。
【００４２】
図７は、前記実施形態による防水用コネクタに備わる第２コンタクトの斜視図である。図８は、前記実施形態による防水用コネクタに備わる第２コンタクトの斜視図であり、図７と異なる方向から第２コンタクトを観ている。
【００４３】
図９は、前記実施形態による防水用コネクタの斜視図であり、第１コンタクトが想像線で描かれたハウジングと一体にモールド成形された状態図である。図１０は、図９で示された防水用コネクタに第２コンタクトが挿入される前の状態図である。図１１は、前記実施形態による防水用コネクタの斜視図であり、ハウジングを想像線で示している。
【００４４】
最初に、本発明による防水用コネクタ（以下、コネクタと略称する）の構成を説明する。図１から図１１において、コネクタ１０は、略直方体のハウジング１、Ｌ字状の第１コンタクト２、及びベローズ形の第２コンタクト３を備えている。第１コンタクト２は、ハウジング１の一側面に沿って並設配置されている。第２コンタクト３は、第１コンタクト２の配列に対応してハウジング１に設けられた複数の凹部１ａに挿入される。
【００４５】
図４において、第１コンタクト２は、リード片２１と固定片２２を有している。図１又は図５に示されるように、リード片２１は、ハウジング１の一側面から突出しており、プリント基板１ｐにハンダ接合が可能となっている。固定片２２は、ハウジング１に一体にモールド成形されている（図２参照）。
【００４６】
図２、図７又は図８において、第２コンタクト３は、第１接触片３１、帯板状の連結片３２、及び第２接触片３３を有している。図１又は図２に示されるように、第１接触片３１は、凹部１ａの開口から頂部が突出しており、先端部が凹部１ａの底面に向かうように屈曲している。
【００４７】
図２、図７又は図８において、連結片３２は、第１接触片３１の基端部が屈折されて、凹部１ａの底面に当接する（図５参照）。第２接触片３３は、連結片３２の先端部が屈折されて、凹部１ａに連通する接続開口１ｂを介して、固定片２２に接触する。そして、第１接触片３１の頂部は、図示しない被接続体に形成された平坦な接続端子に接触可能な接点３１ａを設けている。
【００４８】
図７又は図８において、連結片３２は、第１接触片３１の基端部が屈折されて、凹部１ａの底面に当接する（図５参照）。第２接触片３３は、連結片３２の先端部が屈折されて、凹部１ａに連通する接続開口１ｂを介して、固定片２２に接触する（図２及び図５参照）。そして、第１接触片３１の頂部は、図示されない被接続体に形成された平坦な接続端子に接触可能な接点３１ａを設けている。
【００４９】
図７又は図８及び図１０において、第２コンタクト３は、連結片３２の両翼が略直角に屈折された一対の矩形の側面板３４・３５を有している。一方、ハウジング１は、側面板３４・３５の両翼を案内して、凹部１ａの底面と同じ深さに至る一対の第１スリット１１ｓ・１１ｓを凹部１ａの両翼に隣接している（図３又は図５参照）。
【００５０】
図７又は図８において、一対の側面板３４・３５は、それらの両翼にバーブ１ｖを設けているので、一対の側面板３４・３５を一対の第１スリット１１ｓ・１１ｓに圧入できる。そして、第２コンタクト３を凹部１ａに固定できる。
【００５１】
又、図７又は図８及び図１０において、第２コンタクト３は、連結片３２の先端部が略直角に屈折された矩形の背面板３６を有している。図１０に示されるように、第２接触片３３は、背面板３６が凹字状に打ち抜き加工されて、その一部が屈折された固定片２２に接触する舌片からなっている。一方、ハウジング１は、背面板３６の両翼を案内して、凹部１ａの底面と同じ深さに至る一対の第２スリット１２ｓ・１２ｓを固定片２２に隣接している（図５又は図９参照）。
【００５２】
本発明の実施形態によるコネクタ１０は、一対の第２スリット１２ｓ・１２ｓに背面板３６を挿入することにより、第２接触片３３が固定片２２に接触したときの戻り力に抗することができる。
【００５３】
更に、図７又は図８及び図１０において、第２コンタクト３は、一対の側面板３４・３５の内の側面板３４の一部が屈折して一対の側面板３４・３５の内の側面板３５に架橋する架橋片３７を有している。
【００５４】
図２に示されるように、架橋片３７は、第１接触片３１の先端部に係合して、第１接触片３１の接点３１ａが凹部１ａの底面から離反する動きを規制している。したがって、複数の接点３１ａは、それらの高さが均一に統制される。
【００５５】
次に、本発明の実施形態によるコネクタ１０の作用を説明する。
【００５６】
図２又は図５及び図６に示されるように、第１コンタクト２をハウジング１に一体でモールド成形するに当たり、金型内で固定片２２を治具で保持するために、連通する一対の開口ｋ１・ｋ２を設けている。しかし、これらの開口ｋ１・ｋ２は、第１コンタクト２で封鎖されるので、プリント基板１ｐを防水している。
【００５７】
本発明の実施形態によるコネクタ１０は、ベローズ形の第２コンタクト３をハウジング１に配置するに当たり、底面が封鎖された凹部１ａに第２コンタクト３を収容している。したがって、コネクタ１０は、従来のようにベローズ形のコンタクトをハウジングと一体でモールド成形していないので、金型内で自由端を治具で保持するための開口が不要である。つまり、防水キャップが不要な安価な構造の防水用コネクタを提供できる。
【００５８】
本発明の実施形態によるコネクタ１０は、従来のベローズ形のコンタクトを分割して、プリント基板１ｐにハンダ接合されるリード片２１を有する第１コンタクト２をハウジング１と一体にモールド成形している。
【００５９】
又、本発明の実施形態によるコネクタ１０は、ベローズ形の第２コンタクト３をハウジング１に設けられた凹部１ａに挿入して、第１コンタクト２と接触する構造とすることにより、防水用のリテーナの設置や防水用の封止剤の塗布を不要とする防水用コネクタを提供できる。
【００６０】
本発明の実施形態によるコネクタ１０は、例えば、接触式ＩＣカードなどの表面に形成された金属箔端子に接続してよく、バッテリパックの底面に設けられた平型端子に接続してよく、接触式ＩＣカード又はバッテリパックに接続可能な防水用コネクタを提供できる。
【００６１】
又、本発明の実施形態によるコネクタ１０は、プリント基板にハンダ接合が可能なプリント基板用コネクタであって、リフロー炉を用いて自動ハンダも可能な表面実装用コネクタでもある。
【００６２】
本発明の実施形態によるコネクタ１０は、以上のように防水構造を有しているので、本発明の実施形態によるコネクタ１０を実装する電子機器を適宜に防水設計すれば、この電子機器を室外で使用することや設置することが可能になる。
【図面の簡単な説明】
【００６３】
【図１】本発明による防水用コネクタの一実施形態を示す斜視図である。
【図２】前記実施形態による防水用コネクタの斜視図であり、一部を縦断面で示している。
【図３】前記実施形態による防水用コネクタに備わるハウジングの斜視図である。
【図４】前記実施形態による防水用コネクタに備わる第１コンタクトの斜視図である。
【図５】前記実施形態による防水用コネクタの斜視図であり、第１コンタクトがハウジングと一体にモールド成形された状態図である。
【図６】前記実施形態による防水用コネクタの斜視図であり、防水用コネクタを底面から観た状態図である。
【図７】前記実施形態による防水用コネクタに備わる第２コンタクトの斜視図である。
【図８】前記実施形態による防水用コネクタに備わる第２コンタクトの斜視図であり、図７と異なる方向から第２コンタクトを観ている。
【図９】前記実施形態による防水用コネクタの斜視図であり、第１コンタクトが想像線で描かれたハウジングと一体にモールド成形された状態図である。
【図１０】図９で示された防水用コネクタに第２コンタクトが挿入される前の状態図である。
【図１１】前記実施形態による防水用コネクタの斜視図であり、ハウジングを想像線で示している。
【図１２】従来技術による防水用コネクタの斜視分解組立図である。
【図１３】従来技術による防水用コネクタの縦断面図である。
【符号の説明】
【００６４】
１  ハウジング
１ａ  凹部
１ｂ  接続開口
１ｐ  プリント基板
２  第１コンタクト
３  第２コンタクト
１０  コネクタ（防水用コネクタ）
２１  リード片
２２  固定片
３１  第１接触片
３１ａ  接点
３２  連結片
３３  第２接触片
【図１】
2010033997.tif 000003
【図２】
2010033997.tif 000004
【図３】
2010033997.tif 000005
【図４】
2010033997.tif 000006
【図５】
2010033997.tif 000007
【図６】
2010033997.tif 000008
【図７】
2010033997.tif 000009
【図８】
2010033997.tif 000010
【図９】
2010033997.tif 000011
【図１０】
2010033997.tif 000012
【図１１】
2010033997.tif 000013
【図１２】
2010033997.tif 000014
【図１３】
2010033997.tif 000015